(57)【特許請求の範囲】
【請求項１】
データ処理部（９）と、カメラ部（７）と、少なくとも一つのモーションセンサ（４、５）と、を備える、自動的な及び継続的又は断続的な画像の取り込みをするよう構成された装置（２）の動作方法であって、
写真撮影状態（２００）で前記装置を動作させることであって、写真は前記カメラ部（７）によって取り込まれることと、
スリープ状態（３００）で前記装置を動作させることであって、前記カメラ部（７）は低電力モードにあることと、
レディ状態（１００）で前記装置を動作させることであって、前記データ処理部（９）は低電力モードにあること、
を備え、
前記モーションセンサ（４、５）からの信号及び／又はクロック信号に応じて、前記装置を前記写真撮影状態（２００）に移行（１２０、３３０、４３０）させ、及び、
前記モーションセンサ（４、５）からの信号及び／又は前記カメラ部（７）からの信号に応じて、前記装置を前記スリープ状態（３００）に移行（２１０、２２０）させることを特徴とする、動作方法。
【請求項２】
前記モーションセンサからの前記信号が第一の閾値（Ｔ１）未満の場合および／または前記カメラ部からの信号が所定の第二の閾値（Ｔ２）よりも低い光レベルを表す場合に、前記装置を前記写真撮影状態（２００）から前記スリープ状態（３００）に移行（２１０、２２０）させることをさらに備える、請求項１に記載の方法。
【請求項３】
前記装置は、前記モーションセンサからの前記信号が十分な期間、前記第一の閾値（Ｔ１）未満である場合および／または前記カメラ部からの前記信号が十分な期間、前記第二の閾値（Ｔ２）よりも低い光レベルを表す場合に、前記写真撮影状態（２００）から前記スリープ状態（３００）に移行（２１０、２２０）される、請求項２に記載の方法。
【請求項４】
重力ベクトルの方向を判定することと、前記重力ベクトルが方向の所定の範囲内の場合にのみ、前記装置を前記スリープ状態に移行（２１０、２２０）させることと、をさらに備える、請求項２または３に記載の方法。
【請求項５】
前記装置を、前記モーションセンサ（４、５）からの前記信号が前記第一の閾値（Ｔ１）を上回る場合および／または前記カメラ部からの前記信号が前記第二の閾値（Ｔ２）よりも高い光レベルを表す場合に、前記写真撮影状態（２００）から前記レディ状態（１００）に移行（２３０）させることをさらに備える、請求項４に記載の方法。
【請求項６】
前記装置をスヌーズ状態（４００）で動作させることをさらに備え、前記装置は、少なくとも一つの移行インジケータを確認する、請求項１から５のいずれかに記載の方法。
【請求項７】
前記装置を、前記モーションセンサ（４、５）からの前記信号が第一の閾値（Ｔ１）未満である場合または前記カメラ部からの前記信号が所定の第二の閾値（Ｔ２）よりも低い光レベルを表す場合に、前記スヌーズ状態（４００）から前記スリープ状態（３００）に移行（４１０、４２０）させることをさらに備える、請求項６に記載の方法。
【請求項８】
前記装置は、前記モーションセンサ（４、５）からの前記信号が十分な期間、前記第一の閾値（Ｔ１）未満である場合または前記カメラ部からの前記信号が十分な期間、前記第二の閾値（Ｔ２）よりも低い光レベルを表す場合に、前記スヌーズ状態（４００）から前記スリープ状態（３００）に移行（４１０、４２０）される、請求項７に記載の方法。
【請求項９】
重力ベクトルの方向を判定することと、前記重力ベクトルが方向の所定の範囲内の場合にのみ、前記装置を前記スリープ状態（３００）に移行（４１０、４２０）させることと、をさらに備える、請求項６から８のいずれかに記載の方法。
【請求項１０】
前記重力ベクトルの方向が前記方向の所定の範囲内にあることは、前記装置が特定の配向で置かれることを示す、請求項９に記載の方法。
【請求項１１】
前記装置を、クロック信号に応じて、前記スリープ状態（３００）から前記スヌーズ状態（４００）に移行（３２０）させることをさらに備える、請求項６から１０のいずれかに記載の方法。
【請求項１２】
前記装置を、前記モーションセンサ（４、５）からの前記信号が、所定のモーションパターンを表す場合に、前記スリープ状態（３００）から前記写真撮影状態（２００）に移行（３３０）させることをさらに備える、請求項１から１１のいずれかに記載の方法。
【請求項１３】
前記装置を、前記モーションセンサ（４、５）からの前記信号が、特定の順序のモーションなどの所定のモーションパターンを表す場合に、前記レディ状態（１００）から前記写真撮影状態（２００）に移行（１２０）させることをさらに備える、請求項１から１２のいずれかに記載の方法。
【請求項１４】
前記写真は、単一の写真、連続写真、またはビデオシーケンスである、請求項１から１３のいずれかに記載の方法。
【請求項１５】
データ処理部（９）、カメラ部（７）、および少なくとも一つのモーションセンサ（４、５）を備えた、自動的な及び継続的又は断続的な画像の取り込みをするよう構成された装置であって、請求項１から１４のいずれかに記載の方法を行うよう構成されることを特徴とする、装置。
【発明の詳細な説明】
【技術分野】
【０００１】
本開示はライフログするための方法に関し、そのような方法を実行するシステムに関する。
【背景技術】
【０００２】
ライフログは、生活体験をデジタル記録するプロセスである。ライフログシステムは、通常、装着可能なライフログ装置を備えており、ライフログ装置は、ユーザの活動を、テキストおよび／または、画像、音声または映像のようなセンサデータのライフログの形式で自動的および継続的に取り込み、それらは将来使用するために保存および編成される。
【０００３】
人々は、例えば日記をつけたり、個人の体験を、予想外のものも含めて、検索および他者と共有できるためといった、自身の楽しみのために自身の活動を記録したがる。ライフログは、例えば記憶障害の人々の補助など、医療目的にも使用されうる。
【０００４】
ライフログ装置の別の用途は、個人用セキュリティの一つであり、ライフログ装置は、ユーザが迷惑行為を受けたり攻撃された際の証拠を提供するのに使用されうる。
【０００５】
さらに別の用途は、品質保証の一つであり、ライフログ装置は、ユーザの活動を文書に記録するのに使用されうる。例えば、警察官、看護師、医師、消防士、矯正職員、看守、または管理人は、行った仕事および／または医療過誤または虐待の告発に対する証拠としての文書を提供するのにライフログ装置を使用しうる。
【０００６】
ライフログの作成を不便および面倒でなくするために、ライフログシステムは使い勝手が良く、ユーザの日課に出来る限り支障が少ないことが重要である。既存のライフログシステムを、これらの点について改良することが望ましい。
【０００７】
一方、例えばライフログシステムが写真を撮ることを、これを不適切としたまたは禁止された状況で防止するために、ライフログシステムと相互作用する必要性が残っている。
【０００８】
また、ライフログ装置が、充電が必要になる前に十分な期間写真を撮る容量を有するよう、ライフログ装置のバッテリ容量を管理する必要性もある。
【先行技術文献】
【特許文献】
【０００９】
【特許文献１】ＵＳ ２０１２／２００７６２ Ａ１
【特許文献２】ＥＰ １ ８９８ ６３４ Ａ２
【特許文献３】ＵＳ ２０１０／１１８１５４ Ａ１
【特許文献４】ＵＳ ２００９／１１０３８６ Ａ１
【発明の概要】
【００１０】
ライフログシステムのユーザ体験を改良することが目的である。特に、使用が容易で、効率が良く、満足なライフログシステムを提供することが目的である。
【００１１】
本発明は、独立クレームによって定義される。実施形態は、従属クレーム、明細書および図面に記載される。
即ち、本発明の第１の視点により、データ処理部と、カメラ部と、少なくとも一つのモーションセンサと、を備える、自動的な及び継続的又は断続的な画像の取り込みをするよう構成された装置の動作方法が提供される。該方法は、
写真撮影状態で前記装置を動作させることであって、写真は前記カメラ部によって取り込まれることと、
スリープ状態で前記装置を動作させることであって、前記カメラ部は低電力モードにあることと、
レディ状態で前記装置を動作させることであって、前記データ処理部は低電力モードにあること、
を備え、
前記モーションセンサからの信号及び／又はクロック信号に応じて、前記装置を前記写真撮影状態に移行させ、及び、
前記モーションセンサからの信号及び／又は前記カメラ部からの信号に応じて、前記装置を前記スリープ状態に移行させる。
上記の方法において、前記モーションセンサからの前記信号が第一の閾値未満の場合および／または前記カメラ部からの信号が所定の第二の閾値よりも低い光レベルを表す場合に、前記装置を前記写真撮影状態から前記スリープ状態に移行させることをさらに備えることができる。
上記の方法において、前記装置は、前記モーションセンサからの前記信号が十分な期間、前記第一の閾値未満である場合および／または前記カメラ部からの前記信号が十分な期間、前記第一の閾値よりも低い光レベルを表す場合に、前記写真撮影状態から前記スリープ状態に移行されうることができる。
上記の方法において、重力ベクトルの方向を判定することと、前記重力ベクトルが方向の所定の範囲内の場合にのみ、前記装置を前記スリープ状態に移行させることと、をさらに備えることができる。
上記の方法において、前記装置を、前記モーションセンサからの前記信号が前記第一の閾値を上回る場合および／または前記カメラ部からの前記信号が前記第二の閾値よりも高い光レベルを表す場合に、前記写真撮影状態から前記レディ状態に移行させることをさらに備えることができる。
上記の方法において、前記装置をスヌーズ状態で動作させることをさらに備え、前記装置は、少なくとも一つの移行インジケータを確認することができる。
上記の方法において、前記装置を、前記モーションセンサからの前記信号が第一の閾値未満である場合または前記カメラ部からの前記信号が所定の第二の閾値よりも低い光レベルを表す場合に、前記スヌーズ状態から前記スリープ状態に移行させることをさらに備えることができる。
上記の方法において、前記装置は、前記モーションセンサからの前記信号が十分な期間、前記第一の閾値未満である場合または前記カメラ部からの前記信号が十分な期間、前記第一の閾値よりも低い光レベルを表す場合に、前記スヌーズ状態から前記スリープ態に移行されることができる。
上記の方法において、重力ベクトルの方向を判定することと、前記重力ベクトルが方向の所定の範囲内の場合にのみ、前記装置を前記スリープ状態に移行させることと、をさらに備えることができる。
上記の方法において、前記重力ベクトルの方向が前記方向の所定の範囲内にあることは、前記装置が水平など特定の配向で置かれることを示すことができる。
上記の方法において、前記装置を、クロック信号に応じて、前記スリープ状態から前記スヌーズ状態に移行させることをさらに備えることができる。
上記の方法において、前記装置を、前記モーションセンサからの前記信号が、特定の順序のモーションなどの所定のモーションパターンを表す場合、および／または前記モーションセンサからの前記信号が第一の閾値を超える場合に、前記スリープ状態から前記写真撮影状態に移行させることをさらに備えることができる。
上記の方法において、前記装置を、前記モーションセンサからの前記信号が、特定の順序のモーションなどの所定のモーションパターンを表す場合に、前記レディ状態から前記写真撮影状態に移行させることをさらに備えることができる。
上記の方法において、前記写真は、単一の写真、連続写真、またはビデオシーケンスであり得る。
本発明の第２の視点により、上記の方法を行うよう構成された、データ処理部、カメラ部、および少なくとも一つのモーションセンサを備えた、自動的な及び継続的又は断続的な画像の取り込みをするよう構成された装置が提供される。
なお、特許請求の範囲に付記した図面参照符号は専ら発明の理解を助けるためのものであり、本発明を図示の態様に限定することは意図していない。
【００１２】
第一の態様によれば、データ処理部と、カメラ部と、少なくとも一つのモーションセンサとを備える装着可能なライフログ装置の動作方法が提供される。本方法は、写真撮影状態で装置を選択的に動作させることであって、写真はカメラ部によって取り込まれることと、スリープ状態で装置を選択的に動作させることであって、カメラ部は低電力モードにあることと、を備える。本方法は、モーションセンサからの信号に応じて装置を写真撮影状態に移行させることをさらに備える。
【００１３】
ライフログ装置は、継続的または断続的な、ユーザおよび／またはユーザの体験の画像の取り込みのために構成された装置として定義される。そのように取り込まれた画像は、各画像について時間／日付および／または地理位置情報を示すデータと関連付けられうる。ライフログ装置は、統合中間画像およびデータ記憶装置で構成されうる。あるいは、ライフログ装置は、画像およびデータをネットワークアクセス可能な記憶装置にオンライン送信するように構成されうる。
【００１４】
写真撮影状態での装置の動作は、少なくともモーションセンサを読み取ることと、装置を低電力モードから任意で移行させることとをさらに備えうる。
【００１５】
本方法は、モーションセンサからの信号が第一の閾値未満の場合またはカメラ部からの信号が所定の第二の閾値よりも低い光レベルを表す場合に、装置を写真撮影状態からスリープ状態に移行させることをさらに備えうる。
【００１６】
第一の閾値は、装置が実質的に平らな表面上で静止しているかまたは動いているかを示すよう設定されうる。
【００１７】
一実施形態では、モーションセンサからの信号が十分な期間、第一の閾値未満である場合またはカメラ部からの信号が十分な期間、第一の閾値よりも低い光レベルを表す場合に、装置は写真撮影状態からスリープ状態に移行されうる。
【００１８】
期間は、同じでも異なってもよい。
【００１９】
本方法は、重力ベクトルを判定することと、重力ベクトルが所定の範囲内の場合にのみ、装置をスリープ状態に移行させることとをさらに備えうる。
【００２０】
この文脈では、“範囲”という文言は、方向の範囲と解される。
【００２１】
よって、装置の配向を判定すること、および水平などの特定の配向を有する装置におけるスリープ状態への移行を条件づけることが可能である。
【００２２】
“水平”という文言は、＋／−１０°、＋／−５°または＋／−１°水平と解釈されるべきである。
【００２３】
このように、装置のユーザは、表面上に、水平などの特定の配向で装置を設置することによって、装置をスリープ状態に移行させることができる。それによって、装置は、使い勝手が良いように、不適切な状況で写真を撮ることを防止される。また、ユーザおよび他者は、装置が特定の配向にある場合に、写真を撮らないことを認識するであろう。
【００２４】
本方法は、装置をレディ状態で選択的に動作させることであって、カメラはアクティブであり、データ処理部は低電力モードであることをさらに備えうる。
【００２５】
本方法は、モーションセンサからの信号が第一の閾値を上回る場合および／またはカメラ部からの信号が第二の閾値よりも高い光レベルを表す場合に、装置を写真撮影状態からレディ状態に移行させることをさらに備えうる。
【００２６】
任意で、スリープ状態への移行は、レディ状態への移行よりも低い第二の閾値を要求しうる。例えば、実質的に光がない場合にのみスリープ状態に移行するが、許容できる写真を提供するには十分でないが少量の光がある場合にはレディ状態にとどまることが望ましい。
【００２７】
装置は、クロック信号に応じて、レディ状態から写真撮影状態に移行されうる。
【００２８】
クロック信号は、装置クロックによって提供されるリアルタイムクロック信号でありうる。
【００２９】
本方法は、モーションセンサからの信号が、特定の順序のモーションなどの所定のモーションパターンを表す場合に、装置をレディ状態から写真撮影状態に移行させることをさらに備えうる。
【００３０】
所定のモーションパターンは、所定の期間内に発生しうる、一つまたは複数の絶対値からからなりうる。例えば、所定の閾値を超え、かつ所定の時間間隔内に受け取られる二つの値は、“ダブルタップ”、すなわち、ユーザが、臨時の写真を撮るよう装置をトリガーするために、彼の／彼女の指で装置を二度タップすることと解される。
【００３１】
先行クレームのいずれかに記載の方法は、スヌーズ状態で装置を選択的に動作させることをさらに備え、装置は、少なくとも一つの移行インジケータを確認する。
【００３２】
そのような移行インジケータは、装置が揺動されたまたはクロック信号を受信したなど、特定の事象が起こったことを示すインジケータでありうる。
【００３３】
本方法は、モーションセンサからの信号が第一の閾値未満である場合またはカメラ部からの信号が所定の第二の閾値よりも低い光レベルを表す場合に、装置をスヌーズ状態からスリープ状態に移行させることをさらに備えうる。
【００３４】
第一の閾値は、装置が実質的に平らな表面上で静止しているかまたは動いているかどうかを示すよう設定されうる。
【００３５】
本方法では、モーションセンサからの信号が十分な期間、第一の閾値未満である場合またはカメラ部からの信号が十分な期間、第一の閾値よりも低い光レベルを表す場合に、装置はスヌーズ状態からスリープ状態に移行されうる。
【００３６】
期間は、同じでも異なってもよい。
【００３７】
本方法は、重力ベクトルを判定することと、重力ベクトルが所定の範囲内の場合にのみ、装置をスリープ状態に移行させることとをさらに備えうる。
【００３８】
よって、装置の配向を判定すること、および水平などの特定の配向を有する装置におけるスリープ状態への移行を条件づけることが可能である。
【００３９】
本方法は、モーションセンサからの信号が第一の閾値を超える場合および／またはカメラ部からの信号が第二の閾値よりも高い光レベルを表す場合に、装置をスヌーズ状態から写真撮影状態に移行させることをさらに備えうる。
【００４０】
本方法は、モーションセンサからの信号が第三の閾値よりも大きい絶対値を表す場合に、装置をスリープ状態からスヌーズ状態に移行させることをさらに備えうる。
【００４１】
例えば、この第三の閾値は、装置が動いていることを示すように設定されうるか、もしくは第三の閾値は、装置が揺動されること、すなわちユーザが装置を故意に揺動して“ウェイクアップ”させることを示すように僅かに高くなりうる。
【００４２】
本方法は、カメラ部からの信号が所定の第二の閾値よりも高い光レベルを表す場合にのみ、第三の閾値を高くすることをさらに備えうる。
【００４３】
よって、暗すぎて許容できる写真を撮れない場合に、カメラにその動作の公差を大きくさせることが可能である。
【００４４】
本方法は、クロック信号に応じて、装置をスリープ状態からスヌーズ状態に移行させることをさらに備えうる。
【００４５】
本方法は、モーションセンサからの信号が、特定の順序のモーションなどの所定のモーションパターンを表す場合に、装置をレディ状態から写真撮影状態に移行させることをさらに備えうる。
【００４６】
本方法は、モーションセンサからの信号が、特定の順序のモーションなどの所定のモーションパターンを表す場合に、装置をスリープ状態から写真撮影状態に移行させることをさらに備えうる。よって、装置は、所定のモーションパターンおよび／または十分に大きい／速いモーションを記録する際、即時に写真を撮るためにウェイクアップされうる。
【００４７】
所定のモーションパターンは、所定の期間内に発生しうる、一つまたは複数の絶対値からからなりうる。例えば、所定の閾値を超え、かつ所定の時間間隔内に受け取られる二つの値は、“ダブルタップ”、すなわち、ユーザが、臨時の写真を撮るよう装置をトリガーするために、彼の／彼女の指で装置を二度タップすることと解される。
【００４８】
本方法は、装置の制御パラメータが、ライフログ装置と通信するための第一のインターフェースおよびネットワークベースのストレージサービスと通信するための第二のインターフェースを有する通信装置を用いて設定されることをさらに備えうる。
【００４９】
それによって、ユーザは、スマートフォン、タブレットコンピュータ、デスクトップコンピュータ、ラップトップコンピュータ等の、ライフログ装置の設定を制御できる通信装置を使用することによって、ライフログ装置の設定を決定しうる。例えば、写真が撮られる割合を調整することができる。よって、よりよいユーザ体験およびより高い利便性が達成される。
【００５０】
本方法は、取り込まれた写真を、少なくとも一つのワイヤレス通信インターフェースを介して、装置から記憶装置もしくはストレージサービスに送ることをさらに備えうる。ワイヤレスインターフェースは、非限定的な例として、ライフログ装置が接続される、ブルートゥース（登録商標）インターフェースまたはＷｉＦｉインターフェースでありうる。他のインターフェースは、電子または光学ファイバベースのインターフェース等の有線インターフェース、または、携帯電話／データベースのインターフェース等の有線インターフェースでありうる。
【００５１】
ライフログ装置に撮られる写真は、単一の写真、連続写真、またはビデオシーケンスでありうる。
【００５２】
第二の態様によれば、データ処理部、カメラ部、および少なくとも一つのモーションセンサを備えた装着可能なライフログ装置が提供される。本装置は、上述の方法を行うよう構成される。
【００５３】
ライフログ装置は、装置を水平の表面上にフェースダウンで設置する際、カメラレンズに到達する光量が、カメラが第一の閾値よりも低い光レベルを検出するのに十分に低くなるよう設計された前面（すなわち、カメラレンズを有する面）を有しうる。例えば、カメは、略平面の前面を有し、該前面は、前面と面一もしくは前面から後退したカメラレンズを有しうる。
【図面の簡単な説明】
【００５４】
【図１】ライフログシステムの構成要素を示す模式図。
【図２ａ】ライフログシステムの異なる構成を示す模式図。
【図２ｂ】ライフログシステムの異なる構成を示す模式図。
【図２ｃ】ライフログシステムの異なる構成を示す模式図。
【図３】ライフログ装置２の動作を模式的に示す状態図。
【発明を実施するための形態】
【００５５】
図１は、ライフログシステム１の構成要素を模式的に示す。システム１は、ＧＰＳ部４、加速度計５、（リアルタイムクロック（ＲＴＣ）の形をとりうる）タイマ６、カメラ７、揮発性および不揮発性メモリを備えうる記憶装置８、ＣＰＵ９、充電式バッテリ１０、通信インターフェース１１およびユーザインターフェース１２を包含した天候保護ハウジング３を有する装着可能なライフログ装置２を備える。クリップ１３は、ハウジングの外側に配置される。システム１はまた、ライフログ装置２およびネットワークベースのストレージサービス３０とそれぞれ通信するためのインターフェース２１および２２を有する第一の通信装置２０を備える。第一の通信装置２０は、コントローラ２３および充電器２４を有することができる。ネットワークベースのストレージサービス３０は、ストレージサービス３１およびコンピューティングサービス３２を備えうる。ネットワークベースのストレージサービス３０はまた、第二の通信装置４０に、後者（第二の通信装置４０）のインターフェース４１を介して接続されうる。第二の通信装置４０はまた、アプリケーションソフトウェア４２を備えうる。
【００５６】
破線は、ライフログシステム１の構成要素間の接続５０、５１、および５２を表す。
【００５７】
ユーザがライフログ装置２を、例えば衣服の一部またはネックレスに取り付けて装着すると、カメラ７は、一分間に二枚自動的に写真を撮るよう事前設定されうる。また、所定の期間内に、および場合によっては所定の方向にカメラを一回、二回、または三回タップする等、所定の行為を行うことによって、ユーザがカメラをトリガーして写真を撮るようにすることも可能である。
【００５８】
ライフログ装置が写真を撮る際、写真は単一の写真、連続写真、またはビデオシーケンスでありうる。ビデオシーケンスは、通常、毎秒２０フレームを超えるフレームレートを意味し、対して連続写真は、毎秒１から２０の間のフレームレートを有しうる。単一の写真とは、フレームレートが毎秒１フレーム未満であり、好ましくは５−２４０秒毎に約１フレーム、より好ましくは２０−１２０秒毎に約１フレームの写真のことである。
【００５９】
ＣＰＵ９は、写真が所定のレベルよりも暗いことを示す、カメラからの所定のセンサ信号を受け取った場合、写真を撮るのを止め、カメラ７を電源オフおよび／または休止状態にさせるまたは（例えば一つまたは複数の他のセンサをオフにすることによって）低電力モードにさせるようプログラムされうる。
【００６０】
ＣＰＵ９はまた、ライフログ装置２が所定の時間に所定の量よりも少なく動いたことを示す、加速度計５からのセンサ信号を受け取った場合、写真を撮るのを止め、カメラ７を電源オフおよび／または休止状態にさせるまたは（例えば一つまたは複数の他のセンサをオフにすることによって）低電力モードにさせるようプログラムされうる。
【００６１】
ＣＰＵ９は、ＧＰＳ部４からの位置データ、加速度計５からの配向データおよびタイマ６からの時間（任意で日付を含む）データを、各写真に関連付けうる。ライフログ装置２および第一の通信装置２０の間の接続５０が確立されると、写真の画像、位置、配向、および時間データは、記憶装置８の不揮発性メモリに格納され、第一の通信装置２０を介してネットワークベースのストレージサービス３０のストレージサービス３１に送信される。送信は、充電器２４によるバッテリ１０の充電の間に起こり、記憶は暗号化されうる。
【００６２】
第一の通信装置２０は、ドッキングステーション、スマートフォン、タブレットコンピュータ、デスクトップコンピュータ、またはラップトップコンピュータでありうる。
【００６３】
ライフログ装置２を、インターフェース１１および２１を介して第一の通信装置２０に接続する接続５０は、マイクロＵＳＢまたはＵＳＢ接続などの有線接続もしくは無線ＬＡＮ、ブルートゥース（登録商標）、ＮＦＣ、ＩＲ、ＣＤＭＡ、ＧＳＭ（登録商標）、３Ｇまたは４Ｇ接続などのワイヤレス接続でありうる。
【００６４】
ライフログ装置２および第一の通信装置２０の間の通信に用いられるプロトコルは、ＵＳＢ大量記憶装置プロトコルもしくは装置特定プロトコルでありうる。装置特定プロトコルは、通信を、特定のライフログ装置２および特定の通信装置２０との間でのみ可能にし、不正者がライフログ装置２に格納されたデータを取得するのをより難しくする特徴を備えうる。
【００６５】
第一の通信装置２０を、インターフェース２２を介してネットワークベースのストレージサービス３０に接続する接続５１は、有線ＬＡＮ接続などの有線接続もしくは無線ＬＡＮ、ＣＤＭＡ、ＧＳＭ、３Ｇまたは４Ｇ接続などのワイヤレス接続でありうる。
【００６６】
第一の通信装置２０およびネットワークベースのストレージサービス３０の間の通信に用いられるプロトコルは、ＴＣＰ／ＩＰ、ＨＴＴＰ、ＨＴＴＰＳ、ＳＳＬおよびＴＬＳでありうる。
【００６７】
ネットワークベースのストレージサービス３０は、ＲＥＳＴサービスでありうる。
【００６８】
ネットワークベースのストレージサービス３０のコンピューティングサービス３２は、写真を、その画像、位置、配向、および／または時間データに基づいて解析し、整理しうる。写真は、タイムライン上に、環境が同じであるなどの一定の条件を満たす写真のグループに分けて整理されうる。条件はユーザ定義され、画像の色は、どの写真が同じ環境で撮られたかを判定するのに用いられうる。写真は解析され、例えばモーションブラー、コントラスト、構成、光、顔認識および物体認識に基づいた条件を用いて、その関連性が査定されうる。一定の条件を満たす写真のグループは、その写真のグループのうち、ある条件による特に典型的な写真を選択するために解析されうる。選択された写真は、写真のグループ中の写真が示すものおよびそれらがいつ撮られたかについての、大まかな認識をユーザに与えるために使用されうる。
【００６９】
ユーザは、写真にアクセスするためおよびライフログ装置２、ネットワークベースのストレージサービス３０、および第一の通信装置２０の制御パラメータを設定するために、例えばスマートフォン、タブレットコンピュータ、デスクトップコンピュータ、またはラップトップコンピュータ等の第二の通信装置４０を使用することができる。
【００７０】
制御パラメータは、例えば、画像キャプチャレートおよび画像キャプチャレートの時間依存性を決定しうる。例えば、ユーザは、一定の日の一定の期間、より高い画像キャプチャレートを設定しうる。制御パラメータはまた、記憶装置３１に格納された写真が他のユーザによってアクセス可能かどうかを判定しうる。
【００７１】
ユーザは、コンピューティングサービス３２のコンピューティング機能を実行するために、第二の通信装置４０を使用しうる。コンピューティング機能は、写真編集でありうる。
【００７２】
例えばウェブブラウザもしくは、スマートフォンまたはタブレットコンピュータのアプリケーションでありうるアプリケーションソフトウェア４２は、コンピューティング機能を実行するためおよび制御パラメータを設定するために使用されうる。
【００７３】
第二の通信装置４０を、インターフェース４１を介してネットワークベースのストレージサービス３０に接続する接続５２は、有線ＬＡＮ接続などの有線接続もしくは無線ＬＡＮ、ＣＤＭＡ、ＧＳＭ、３Ｇまたは４Ｇ接続などのワイヤレス接続でありうる。
【００７４】
第二の通信装置４０およびネットワークベースのストレージサービス３０の間の通信に用いられるプロトコルは、ＴＣＰ／ＩＰ、ＨＴＴＰ、ＨＴＴＰＳ、ＳＳＬおよびＴＬＳでありうる。
【００７５】
ネットワークベースのストレージサービス３０は、例えばライフログ装置２に撮られた写真がネットワークベースのストレージサービス３０に送信された際に、第二の通信装置４０にプッシュ通知を送りうる。
【００７６】
ネットワークベースのストレージサービス３０は、ライフログ装置２の一部でない装置にデータを送り、そこからデータを受け取りうる。例えば、ＧＰＳ部４によって取り込まれたデータは、データを解析してデータによって表された座標をネットワークベースのストレージサービス３０に送る第三者に送られうる。ネットワークベースのストレージサービス３０は、例えば画像データ等のデータを、例えばソーシャルネットワークサービス等の他のネットワークベースのサービスに送り、受け取りうる。
【００７７】
図２ａは、ライフログ装置２が、画像、位置、配向、および時間データを、マイクロＵＳＢ、ＵＳＢまたは有線ＬＡＮ接続などの有線接続もしくは無線ＬＡＮ、ブルートゥース、ＮＦＣ、ＩＲ、ＣＤＭＡ、ＧＳＭ、３Ｇまたは４Ｇ接続などのワイヤレス接続でありうる接続５０を介して、第一の通信装置２０に送るよう構成された、ライフログシステム１の模式図である。接続５０を介した通信に用いられるプロトコルは、ＵＳＢ大量記憶装置プロトコル、ＴＣＰ／ＩＰ、ＨＴＴＰ、ＨＴＴＰＳ、ＳＳＬまたはＴＳＬ、もしくは装置特定プロトコルでありうる。
【００７８】
第一の通信装置２０は、ドッキングステーション、スマートフォン、タブレットコンピュータ、デスクトップコンピュータ、またはラップトップコンピュータでありうる。
【００７９】
第一の通信装置２０は、画像、位置、配向、および時間データを、有線ＬＡＮ接続などの有線接続もしくは無線ＬＡＮ、ＣＤＭＡ、ＧＳＭ、３Ｇまたは４Ｇ接続などのワイヤレス接続でありうる接続５１を介して、ネットワークベースのストレージサービス３０に送るよう構成される。接続５１を介した通信に用いられるプロトコルは、ＴＣＰ／ＩＰ、ＨＴＴＰ、ＨＴＴＰＳ、ＳＳＬまたはＴＳＬでありうる。
【００８０】
ユーザは、第二の通信装置４０を介して、ネットワークベースのストレージサービス３０に格納されたデータにアクセスすることができ、第二の通信装置４０はまた、制御パラメータを、接続５２を介してネットワークベースのストレージサービス３０に送るよう構成される。接続５２は、有線ＬＡＮ接続などの有線接続もしくは無線ＬＡＮ、ＣＤＭＡ、ＧＳＭ、３Ｇまたは４Ｇ接続などのワイヤレス接続でありうる。接続５２を介した通信に用いられるプロトコルは、ＴＣＰ／ＩＰ、ＨＴＴＰ、ＨＴＴＰＳ、ＳＳＬまたはＴＳＬでありうる。
【００８１】
第二の通信装置４０によって送られる制御パラメータは、ネットワークベースのストレージサービス３０、第一の通信装置２０、および装着可能なライフログ装置２の制御パラメータを備えうる。ネットワークベースのストレージサービス３０は、接続５１を介して、制御パラメータを第一の通信装置２０に送信し、第一の通信装置２０は続いて、接続５０を介して、制御パラメータを装着可能なライフログ装置２に送信する。
【００８２】
図２ｂは、装着可能なライフログ装置２が、第二の通信装置４０およびネットワークベースのストレージサービス３０と、それぞれ接続５３および５４を介して直接通信するよう構成された、ライフログシステム１の模式図である。
【００８３】
第二の通信装置４０は、スマートフォン、タブレットコンピュータ、デスクトップコンピュータ、またはラップトップコンピュータでありうる。
【００８４】
接続５３は、有線ＬＡＮ接続などの有線接続もしくは無線ＬＡＮ、ＣＤＭＡ、ＧＳＭ、３Ｇまたは４Ｇ接続などのワイヤレス接続でありうる。接続５３を介した通信に用いられるプロトコルは、ＴＣＰ／ＩＰ、ＨＴＴＰ、ＨＴＴＰＳ、ＳＳＬまたはＴＳＬでありうる。
【００８５】
接続５４は、マイクロＵＳＢ、ＵＳＢまたは有線ＬＡＮ接続などの有線接続もしくは無線ＬＡＮ、ブルートゥース、ＮＦＣ、ＩＲ、ＣＤＭＡ、ＧＳＭ、３Ｇまたは４Ｇ接続などのワイヤレス接続でありうる。接続５４を介した通信に用いられるプロトコルは、ＵＳＢ大量記憶装置プロトコル、ＴＣＰ／ＩＰ、ＨＴＴＰ、ＨＴＴＰＳ、ＳＳＬまたはＴＳＬ、もしくは装置特定プロトコルでありうる。
【００８６】
第一の通信装置２０が設けられた場合、ライフログ装置２はまた、ネットワークベースのストレージサービス３０と通信するよう構成されうる第一の通信装置２０とも通信しうる。
【００８７】
第一の通信装置２０は、ドッキングステーション、スマートフォン、タブレットコンピュータ、デスクトップコンピュータ、またはラップトップコンピュータでありうる。
【００８８】
第一の通信装置２０は、マイクロＵＳＢ、ＵＳＢまたは有線ＬＡＮ接続などの有線接続もしくは無線ＬＡＮ、ブルートゥース、ＮＦＣ、ＩＲ、ＣＤＭＡ、ＧＳＭ、３Ｇまたは４Ｇ接続などのワイヤレス接続を介して、ライフログ装置２と通信しうる。通信に用いられるプロトコルは、ＵＳＢ大量記憶装置プロトコル、ＴＣＰ／ＩＰ、ＨＴＴＰ、ＨＴＴＰＳ、ＳＳＬまたはＴＳＬ、もしくは装置特定プロトコルでありうる。
【００８９】
第一の通信装置２０は、有線ＬＡＮ接続などの有線接続もしくは無線ＬＡＮ、ＣＤＭＡ、ＧＳＭ、３Ｇまたは４Ｇ接続などのワイヤレス接続を介して、ネットワークベースのストレージサービス３０と通信しうる。通信に用いられるプロトコルは、ＵＳＢ大量記憶装置プロトコル、ＴＣＰ／ＩＰ、ＨＴＴＰ、ＨＴＴＰＳ、ＳＳＬまたはＴＳＬ、もしくは装置特定プロトコルでありうる。通信に用いられるプロトコルは、ＴＣＰ／ＩＰ、ＨＴＴＰ、ＨＴＴＰＳ、ＳＳＬまたはＴＳＬでありうる。
【００９０】
図２ｃは、装着可能なライフログ装置２およびネットワークベースのストレージサービス３０が、有線ＬＡＮ接続などの有線接続もしくは無線ＬＡＮ、ＣＤＭＡ、ＧＳＭ、３Ｇまたは４Ｇ接続などのワイヤレス接続でありうる接続５３を介して通信するよう構成された、ライフログシステム１の模式図である。接続５３を介した通信に用いられるプロトコルは、ＴＣＰ／ＩＰ、ＨＴＴＰ、ＨＴＴＰＳ、ＳＳＬまたはＴＳＬでありうる。
【００９１】
通信はまた、有線ＬＡＮ接続などの有線接続もしくは無線ＬＡＮ、ＣＤＭＡ、ＧＳＭ、３Ｇまたは４Ｇ接続などのワイヤレス接続でありうる接続５２を介して、ネットワークベースのストレージサービス３０および通信装置４０の間でも発生する。接続５２を介した通信に用いられるプロトコルは、ＴＣＰ／ＩＰ、ＨＴＴＰ、ＨＴＴＰＳ、ＳＳＬまたはＴＳＬでありうる。
【００９２】
第二の通信装置４０は、スマートフォン、タブレットコンピュータ、デスクトップコンピュータ、またはラップトップコンピュータでありうる。
【００９３】
図３を参照して、装着可能なライフログ装置の動作方法が説明される。
【００９４】
本方法は、有限状態機械で実行されうる。
【００９５】
装置は、四つの異なる状態で動作可能でありうる。レディ状態１００では、カメラは、少なくともカメラの画像センサで受け取られた光の量を示す信号を提供できるという意味でアクティブでありうる一方、装置の残りの部分は低電力モードである。低電力モードでは、装置の一つまたは複数の部分は、アクティブではないか、もしくはアクティブであるが、正常動作と比較してより低いクロック周波数で動作しうる。
【００９６】
装置はさらに、写真撮影状態２００で動作可能であってよく、装置は低電力モードからウェイクアップし、カメラは写真を撮り、任意で全てのセンサ（例えば、加速度計、ＧＰＳセンサ等）が読み込まれる。
【００９７】
装置はさらに、装置全体が低電力モードであるスリープ状態３００で動作可能でありうる。このモードでは、リアルタイムクロックが、クロック信号を提供するようアクティブであり、装置のそれらの部分は、クロック信号が、移行が起こるための基準を満たしているかを判定する必要がありうる。
【００９８】
装置はさらに、装置がウェイクアップ（すなわち写真撮影状態への移行）するべきかを確認するスヌーズ状態４００で動作可能でありうる。
【００９９】
装置はさらに、二つのモードで動作可能とされうる：レディ状態１００および写真撮影状態２００の間で装置がシフト１１０、１２０、２３０するアクティブモード、および、スリープ状態３００およびスヌーズ状態４００の間で装置がシフト３１０、３２０、４１０、４２０するスリープモードである。
【０１００】
レディ状態１００から、以下の移行が起こりうる。
【０１０１】
クロックからの信号を受け取ると、装置は写真撮影状態２００に移行１１０しうる。これは、装置が正常動作する、すなわち毎分二枚の写真等、所定の間隔で写真を撮る場合でありうる。
【０１０２】
モーションセンサもしくはＧＰＳセンサによって特定の動きもしくは連続した動きを検出すると、装置は写真撮影状態２００に移行１２０しうる。これは、臨時の写真を撮るよう装置をトリガーするためにユーザが彼の／彼女の指で装置をタップするのを検出するよう、装置が構成された場合でありうる。よって、この特定の例では、モーションセンサは、１−３秒等の所定の期間内に特定の閾値を超える二つまたは複数の加速を感知しうる。任意で、加速の持続はごく短く、よって、例えばタッピングの結果として装置が１０ｃｍより少なくもしくは５ｃｍより少なく動いた等、装置があまり動かなかったことを示しうる。
【０１０３】
写真撮影状態２００から、以下の移行が起こりうる。
【０１０４】
装置が、静止して、および任意で水平等の特定の配向で置かれたのを検出すると、装置はスリープ状態３００に移行２１０しうる。この場合、装置は、第一の閾値Ｔ１に満たない（したがって装置が静止していることを示す）加速度ベクトル、および任意で、装置が表面上で、平ら（表側もしくは裏側が下になる）等特定の配向を与えられたことを示しうる加速度ベクトルも検出しうる。この条件は、“平面検出”を称されうる。この移行２１０は、装置が、例えば１５、３０または４５秒もしくは１−５分等、所定の期間中に特定の配向を有することが条件でありうる。
【０１０５】
同様に、カメラが所定の第二の閾値Ｔ２未満の光を受け取ると、装置はスリープ状態３００に移行２２０しうる。この移行は、“低光検出”と称されうる。この移行２２０はまた、装置が、例えば１５、３０または４５秒もしくは１−５分等、所定の期間中に低レベルの光を受け取ることも条件でありうる。
【０１０６】
写真撮影状態２００において、平面も低光も検出されない場合、装置はレディ状態１００に移行２３０しうる。
【０１０７】
スリープ状態３００から、以下の移行が起こりうる。
【０１０８】
第三の閾値Ｔ３よりも大きい絶対値を検出すると、装置はスヌーズ状態４００に移行３１０しうる。第三の閾値Ｔ３は、ユーザが装置をウェイクアップするために故意に装置を揺動することを示す値でありうる。よって、加速度計信号の絶対値が使用されうる。第一の閾値Ｔ１はただ静止状態からの動きを識別するのみであるため、第三の閾値Ｔ３は、概して第一の閾値Ｔ１よりも高くありうる。加えて、フラグＦ１を、“揺動ウェイクアップ”事象が起こったことを示すよう設定することが可能である。
【０１０９】
装置はまた、クロック信号に基づいて、スリープ状態３００からスヌーズ状態に移行３２０しうる。これは、装置が正常動作する、すなわち毎分二枚の写真等、所定の間隔で写真を撮る場合でありうる。
【０１１０】
モーションセンサもしくはＧＰＳセンサによって特定の動きもしくは連続した動きを検出すると、装置はまたスリープ状態３００から移行３３０しうるが、この工程は、上述した写真撮影状態２００への移行１２０と実質的に同じでありうる。よって、モーションセンサによる割り込みが提供され、スヌーズ状態４００を介すことなく、装置を直ちにスリープ状態３００から写真撮影状態２００に移行させうる。
【０１１１】
スヌーズ状態４００から、以下の移行が起こりうる。
【０１１２】
移行２１０に関して上述したように、装置が、静止して、および任意で特定の配向で置かれたのを検出すると、装置はスリープ状態３００に移行４１０しうる。
【０１１３】
同様に、低光条件を検出すると、スリープ状態への移行２２０について上述したように、装置はスリープ状態３００に移行４２０しうる。
【０１１４】
“揺動ウェイクアップ”フラグＦ１が設定された場合、したがって装置が揺動され、光レベルが低すぎることを示唆する場合、装置は第三の閾値Ｔ３を高くすることで装置の揺動に対する感度を低くし、それから“揺動ウェイクアップ”フラグＦ１をクリアーしうる。
【０１１５】
平面も低光も検出されない場合、装置は写真撮影状態２００に移行４３０しうる。この場合、第三の閾値Ｔ３はリセット、すなわち揺動に対する正常な感度にリセットされ、“揺動ウェイクアップ”フラグＦ１はクリアーされうる。
【０１１６】
別個の光センサを、カメラの開口の中もしくは近くに設けることが可能であり、カメラを用いることなく十分な光レベルの検出を可能にしうる。これは、バッテリ消費をさらに低減するためのオプションでありうる。
【０１１７】
以下に、本発明の好ましい実施の形態を付記する。
（形態１）データ処理部と、カメラ部と、少なくとも一つのモーションセンサと、を備える装着可能なライフログ装置の動作方法であって、
写真撮影状態で前記装置を選択的に動作させることであって、写真は前記カメラ部によって取り込まれることと、
スリープ状態で前記装置を選択的に動作させることであって、前記カメラ部は低電力モードにあることと、を備え、
前記モーションセンサからの信号に応じて、前記装置を前記写真撮影状態に移行させる、動作方法。
（形態２）上記の方法において、前記写真撮影状態での前記装置の動作は、少なくとも前記モーションセンサを読み取ることと、前記装置を低電力モードから任意で移行させることと、をさらに備えることが好ましい。
（形態３）上記の方法において、前記モーションセンサからの前記信号が第一の閾値未満の場合および／または前記カメラ部からの信号が所定の第二の閾値よりも低い光レベルを表す場合に、前記装置を前記写真撮影状態から前記スリープ状態に移行させることをさらに備えることが好ましい。
（形態４）上記の方法において、前記装置は、前記モーションセンサからの前記信号が十分な期間、前記第一の閾値未満である場合および／または前記カメラ部からの前記信号が十分な期間、前記第一の閾値よりも低い光レベルを表す場合に、前記写真撮影状態から前記スリープ状態に移行されうることが好ましい。
（形態５）上記の方法において、重力ベクトルを判定することと、前記重力ベクトルが所定の範囲内の場合にのみ、前記装置を前記スリープ状態に移行させることと、をさらに備えることが好ましい。
（形態６）上記の方法において、前記重力ベクトルの前記所定の範囲は、前記装置が水平など特定の配向で置かれることを示すことが好ましい。
（形態７）上記の方法において、前記装置をレディ状態で選択的に動作させることであって、前記データ処理部は低電力モードであることをさらに備えることが好ましい。
（形態８）上記の方法において、前記装置を、前記モーションセンサからの前記信号が前記第一の閾値を上回る場合および／または前記カメラ部からの前記信号が前記第二の閾値よりも高い光レベルを表す場合に、前記写真撮影状態から前記レディ状態に移行させることをさらに備えることが好ましい。
（形態９）上記の方法において、前記装置は、クロック信号に応じて、前記レディ状態から前記写真撮影状態に移行されることが好ましい。
（形態１０）上記の方法において、前記装置は、前記モーションセンサからの前記信号が、特定の順序のモーションなどの所定のモーションパターンを表す場合に、前記レディ状態から前記写真撮影状態に移行されることが好ましい。
（形態１１）上記の方法において、前記装置をスヌーズ状態で選択的に動作させることをさらに備え、前記装置は、少なくとも一つの移行インジケータを確認することが好ましい。
（形態１２）上記の方法において、前記装置を、前記モーションセンサからの前記信号が第一の閾値未満である場合または前記カメラ部からの前記信号が所定の第二の閾値よりも低い光レベルを表す場合に、前記スヌーズ状態から前記スリープ状態に移行させることをさらに備えることが好ましい。
（形態１３）上記の方法において、前記装置は、前記モーションセンサからの前記信号が十分な期間、前記第一の閾値未満である場合または前記カメラ部からの前記信号が十分な期間、前記第一の閾値よりも低い光レベルを表す場合に、前記スヌーズ状態から前記スリープ態に移行されることが好ましい。
（形態１４）上記の方法において、重力ベクトルを判定することと、前記重力ベクトルが所定の範囲内の場合にのみ、前記装置を前記スリープ状態に移行させることと、をさらに備えることが好ましい。
（形態１５）上記の方法において、前記重力ベクトルの前記所定の範囲は、前記装置が水平など特定の配向で置かれることを示すことが好ましい。
（形態１６）上記の方法において、前記装置を、前記モーションセンサからの前記信号が前記第一の閾値を超える場合および／または前記カメラ部からの前記信号が前記第二の閾値よりも高い光レベルを表す場合に、前記スヌーズ状態から前記写真撮影状態に移行させることをさらに備えることが好ましい。
（形態１７）上記の方法において、前記装置を、前記モーションセンサからの前記信号が第三の閾値よりも大きい絶対値を表す場合に、前記スリープ状態から前記スヌーズ状態に移行させることをさらに備えることが好ましい。
（形態１８）上記の方法において、前記カメラ部からの信号が前記所定の第二の閾値よりも高い光レベルを表す場合に、前記第三の閾値を高くすることをさらに備えることが好ましい。
（形態１９）上記の方法において、前記装置を、クロック信号に応じて、前記スリープ状態から前記スヌーズ状態に移行させることをさらに備えることが好ましい。
（形態２０）上記の方法において、前記装置を、前記モーションセンサからの前記信号が、特定の順序のモーションなどの所定のモーションパターンを表す場合、および／または前記モーションセンサからの前記信号が第一の閾値を超える場合に、前記スリープ状態から前記写真撮影状態に移行させることをさらに備えることが好ましい。
（形態２１）上記の方法において、前記装置を、前記モーションセンサからの前記信号が、特定の順序のモーションなどの所定のモーションパターンを表す場合に、前記レディ状態から前記写真撮影状態に移行させることをさらに備えることが好ましい。
（形態２２）上記の方法において、前記装置の制御パラメータが、前記ライフログ装置と通信するための第一のインターフェースおよびネットワークベースのストレージサービスと通信するための第二のインターフェースを有する通信装置を用いて設定されることが好ましい。
（形態２３）上記の方法において、取り込まれた写真を、少なくとも一つのワイヤレス通信インターフェースを介して、前記装置から記憶装置もしくはストレージサービスに送ることをさらに備えることが好ましい。
（形態２４）上記の方法において、前記写真は、単一の写真、連続写真、またはビデオシーケンスであることが好ましい。
（形態２５）データ処理部、カメラ部、および少なくとも一つのモーションセンサを備えた装着可能なライフログ装置であって、上記の方法を行うよう構成された、ライフログ装置。
【図１】
0006529491.tif 000002
【図２ａ】
0006529491.tif 000003
【図２ｂ】
0006529491.tif 000004
【図２ｃ】
0006529491.tif 000005
【図３】
0006529491.tif 000006